(57)【要約】【課題】油入電気機器の劣化度推定精度の向上【解決手段】予め、油入電気機器の絶縁油中の劣化生成物量と、油入電気機器に掛けた負荷を経時的に積算した負荷積算量と、絶縁紙の機械強度指標のデータに基づいて、劣化生成物量の所定の範囲毎に、負荷積算量と絶縁紙の機械強度指標との相関関係データを作成し、劣化度を推定する対象油入電気機器の絶縁油から測定された劣化生成物量に基づいて、対象油入電気機器の劣化度を推定するのに使用する負荷積算量と平均重合度との相関関係データを選択し、選択した負荷積算量と絶縁紙の機械強度指標との相関関係データに基づいて、測定された対象油入電気機器の負荷積算量から絶縁紙の機械強度指標の推定値を求め、絶縁紙の機械強度指標の推定値に基づいて対象油入電気機器の劣化度を推定する。【選択図】  図６
2008124146.tif 000002
【特許請求の範囲】
【請求項１】
予め、油入電気機器の絶縁油中の劣化生成物量と、油入電気機器に掛けた負荷を経時的に積算した負荷積算量と、絶縁紙の機械強度指標のデータに基づいて、劣化生成物量の所定の範囲毎に、負荷積算量と絶縁紙の機械強度指標との相関関係データを作成し、
劣化度を推定する対象油入電気機器の絶縁油から測定された劣化生成物量に基づいて、対象油入電気機器の劣化度を推定するのに使用する負荷積算量と平均重合度との相関関係データを選択し、
前記選択した負荷積算量と絶縁紙の機械強度指標との相関関係データに基づいて、測定された対象油入電気機器の負荷積算量から絶縁紙の機械強度指標の推定値を求め、前記絶縁紙の機械強度指標の推定値に基づいて前記対象油入電気機器の劣化度を推定することを特徴とする油入電気機器の劣化度推定方法。
【請求項２】
前記劣化生成物量が、絶縁油中の（ＣＯ＋ＣＯ２）、フルフラール、又は、アセトンであることを特徴とする請求項１に記載の油入電気機器の劣化度推定方法。
【請求項３】
絶縁紙の機械強度指標が、絶縁紙の平均重合度又は抗張力であることを特徴とする請求項１に記載の油入電気機器の劣化度推定方法。
【請求項４】
前記負荷積算量が、油入電気機器の負荷率を２乗したものに油入電気機器の巻線最高点温度上昇値を乗じたものを経時的に積算したもの、油入電気機器の負荷率を１．６乗したものに油入電気機器の巻線最高点温度上昇値を乗じたものを経時的に積算したもの、油入電気機器の負荷率を２乗したものを経時的に積算したもの、又は、油入電気機器の負荷率を１．６乗したものを経時的に積算したものであることを特徴とする請求項１に記載の油入電気機器の劣化度推定方法。
【請求項５】
予め、油入電気機器の絶縁油中の劣化生成物量と、油入電気機器に掛けた負荷を経時的に積算した負荷積算量と、絶縁紙の機械強度指標のデータに基づいて、劣化生成物量の所定の範囲毎に作成した、負荷積算量と絶縁紙の機械強度指標との相関関係データを記録した相関関係データ記憶部と、
劣化度を推定する対象油入電気機器の絶縁油から測定された劣化生成物量に基づいて、相関関係データ記憶部に記憶された相関関係データから使用する負荷積算量と平均重合度との相関関係データを選択する相関関係データ選択部と、
前記選択部において、選択された負荷積算量と絶縁紙の機械強度指標との相関関係データに基づいて、測定された油入電気機器の負荷積算量から絶縁紙の機械強度指標の推定値を求める推定値算出部とを備えたことを特徴とする油入電気機器の劣化度推定装置。
【発明の詳細な説明】
【技術分野】
【０００１】
本発明は油入電気機器の劣化度推定方法およびその装置に関するものである。
【背景技術】
【０００２】
油入電気機器の劣化の程度は、油入電気機器に使用されている絶縁紙の劣化程度で推定される。すなわち、絶縁紙の劣化程度は抗張力や重合度などの機械強度指標で評価することができる。ただし、油入電気機器の絶縁紙の機械強度を測定するには、油入電気機器を停止し、油入電気機器内から絶縁紙の試料を採取して測定する必要があるが、作業性やコスト面を考えると現実的ではない。このため、絶縁油中の成分分析によって絶縁紙の劣化程度を評価するという方法が用いられている。その例として、絶縁紙の劣化に伴い絶縁油中に生じる絶縁油中のＣＯ＋ＣＯ２（一酸化炭素と二酸化炭素の和）や、フルフラールから絶縁紙の劣化程度を評価して、油入電気機器の劣化度の推定が行われている（特許文献１）。
【０００３】
また、絶縁紙の劣化の程度は、油入電気機器の使用状態での温度が高いほど劣化しやすく、温度が低いほど劣化し難い。油入電気機器の使用時の温度は、油入電気機器の負荷状態に依存し、高負荷になるほど温度が高くなる。また、油入電気機器を同じ温度で運転している場合には、運転時間が長くなればなるほど絶縁紙は劣化する。従って、油入電気機器運転時間や、運転中に絶縁紙が経験する温度を考慮して絶縁紙の劣化度合いを求めるものも提案されている（特許文献２）。
【特許文献１】特開平８−３１６５３号公報
【特許文献２】特開平７−１５９４７１号公報
【発明の開示】
【発明が解決しようとする課題】
【０００４】
本発明者らは、実際に所定期間適正に使用されて交換された油入電気機器から、絶縁油中のＣＯ＋ＣＯ２や、フルフラールを測定するとともに、絶縁紙を採取し、その重合度を測定した。その結果、絶縁油中のＣＯ＋ＣＯ２や、フルフラールと、絶縁紙の重合度の関係は、絶縁油中のＣＯ＋ＣＯ２やフルフラールの測定値が大きいと、絶縁紙の重合度が低いという一定の相関関係が見られるが、油入電気機器によってばらつきがある。このため、斯かる相関関係のみを考慮して、絶縁油中のＣＯ＋ＣＯ２やフルフラールの測定値から、油入電気機器の劣化度を推定した場合には、その精度が悪い。その結果、油入電気機器の交換時期の判断が正確に行えず、まだ十分に使える機器までも交換されている場合がある。運転中に絶縁紙が経験する温度を考慮する場合についても、劣化度を推定するのにどのように考慮するかについてはさらに改良すべき余地がある。
【課題を解決するための手段】
【０００５】
本発明に係る油入電気機器の劣化度推定方法は、予め、油入電気機器の絶縁油中の劣化生成物量と、油入電気機器に掛けた負荷を経時的に積算した負荷積算量と、絶縁紙の機械強度指標のデータに基づいて、劣化生成物量の所定の範囲毎に、負荷積算量と絶縁紙の機械強度指標との相関関係データを作成し、劣化度を推定する対象油入電気機器の絶縁油から測定された劣化生成物量に基づいて、対象油入電気機器の劣化度を推定するのに使用する負荷積算量と平均重合度との相関関係データを選択し、選択した負荷積算量と絶縁紙の機械強度指標との相関関係データに基づいて、測定された対象油入電気機器の負荷積算量から絶縁紙の機械強度指標の推定値を求め、絶縁紙の機械強度指標の推定値に基づいて対象油入電気機器の劣化度を推定することを特徴としている。
【発明の効果】
【０００６】
この油入電気機器の劣化度推定方法によれば、劣化生成物量の所定の範囲毎に、負荷積算量と絶縁紙の機械強度指標との相関関係データを作成し、劣化度を推定する対象油入電気機器の絶縁油から測定された劣化生成物量に基づいて、対象油入電気機器の劣化度を推定するのに使用する負荷積算量と平均重合度との相関関係データを選択して、測定された対象油入電気機器の負荷積算量から絶縁紙の機械強度指標の推定値を求めているので、油入電気機器の劣化度をより精度よく推定することができる。
【発明を実施するための最良の形態】
【０００７】
以下、本発明の一実施形態に係る油入電気機器の劣化度推定方法およびその装置を図面に基づいて説明する。
【０００８】
この油入電気機器の劣化度推定方法は、予め、油入電気機器の絶縁油中の劣化生成物量と、油入電気機器に掛けた負荷を経時的に積算した負荷積算量と、絶縁紙の機械強度指標のデータに基づいて、劣化生成物量の所定の範囲毎に、負荷積算量と絶縁紙の機械強度指標との相関関係データを作成する。
【０００９】
絶縁油中の劣化生成物には、例えば、絶縁油中の（ＣＯ＋ＣＯ２）や、フルフラールや、アセトンなどが含まれる。これらの生成物は、絶縁紙の劣化に因果関係がある生成物であり、比較的精度良く測定でき、同時に絶縁油中の生成物の量と絶縁紙の機械強度との間に、一定の相関関係が認められるものである。なお、絶縁油中の劣化生成物は上述したものに限定されない。また、絶縁油中の劣化生成物量は、異なる種類の油入電気機器についても相対評価が可能となるように、油入電気機器に含まれる絶縁紙の総重量に対する相対的な量を用いるとよい。なお、同じ種類の油入電気機器について劣化度を評価する場合には、絶縁油中の劣化生成物量は、絶対量を用いて評価しても良い。
【００１０】
この実施形態では、劣化生成物としてのＣＯ＋ＣＯ２（一酸化炭素と二酸化炭素の和）の生成量を、絶縁紙の総重量に対して相対評価したデータを用いている。具体的には、まず、油入電気機器から絶縁油の試料を取り出し、絶縁油の単位量（例えば、１リットル）中に含まれるＣＯ＋ＣＯ２の量を測定する。そして、油入電気機器の絶縁油の量を積算し、油入電気機器の絶縁油に含まれるＣＯ＋ＣＯ２の総量の推定値を得る。次に、これら劣化生成物量は油入電気機器に用いられている絶縁紙やプレスボードなど、絶縁油中に浸漬している紙の量に起因しているため、ＣＯ＋ＣＯ２の総量の推定値を絶縁油中に浸漬している紙の総重量で割っている。これにより、絶縁油中に浸漬した紙の単位重量当りのＣＯ＋ＣＯ２の生成量の推定値を算出している。
【００１１】
次に、絶縁紙の機械強度指標には、例えば、平均重合度や抗張力を用いると良い。いずれも絶縁紙の劣化度合いを測る指標となる。この実施形態では、絶縁紙の機械強度指標として平均重合度を用いている。
【００１２】
油入電気機器に掛けた負荷を経時的に積算した負荷積算量は、絶縁紙の劣化を進める要因の一つである油入電気機器の発熱量の経時的な積算量に相当する量である。ここでは、便宜上、例えば、油入電気機器の負荷率を用いて算出している。負荷率は、油入電気機器の定格容量に対する運転時の負荷の割合である。例えば、油入変圧器では、負荷損は、負荷率の略２乗に比例することが知られている（大岡登、前川定雄著、『変圧器』、初版、東京電機大学出版局、Ｐ１６９など）。また、巻線の最高点温度上昇は、負荷率の略１．６乗に比例することが知られている（電気学会技術報告、（Ｉ部）第１４３号、油入変圧器運転指針、変圧器信頼性調査専門委員会、社団法人電気学会、Ｐ１６など）。このため、この実施形態では、油入電気機器の発熱特性を考慮して、負荷率を２乗したものに巻線最高点温度上昇値を乗じたものを経時的に積算した量〔Σ{（負荷率）２×巻線最高点温度上昇値}〕や、負荷率を１．６乗したものに巻線最高点温度上昇値を乗じたものを経時的に積算した量〔Σ{（負荷率）１．６×巻線最高点温度上昇値}〕を負荷積算量として用いている。なお、負荷率を２乗したものを経時的に積算した量〔Σ（負荷率）２〕や、負荷率を１．６乗したものを経時的に積算した量〔Σ（負荷率）１．６〕を負荷積算量として用いてもよい。
【００１３】
次に、油入電気機器の劣化度を推定するのに用いる負荷積算量と絶縁紙の機械強度指標との相関関係データを作成する。斯かる相関関係データは、測定された絶縁油中の劣化生成物量に応じて、所定の範囲毎のグループに分けられ、分けられたグループ毎に作成する。
【００１４】
斯かる油入電気機器の劣化度を推定するのに用いる負荷積算量と絶縁紙の機械強度指標との相関関係データを作成する際は、例えば、実際に所定期間適正に使用されて交換された油入電気機器から得られるデータに基づいて作成するとよい。
【００１５】
絶縁油中の劣化生成物量や絶縁紙の機械強度指標は、例えば、実際に所定期間適正に使用されて交換された油入電気機器から試料を採って測定するとよい。また、油入電気機器に掛けた負荷を経時的に積算した負荷積算量は、例えば、油入電気機器の使用状況を記録した履歴データから算出するとよい。具体的には、変電所などに用いられている油入変圧器で、単位時間毎の負荷率の変位や月間負荷率などを時系列に記録されている場合には、この履歴データを用いて油入電気機器に掛けた負荷を経時的に積算するとよく、比較的容易に算出できる。
【００１６】
この実施形態では、実際に所定期間適正に使用されて交換された複数台の油入電気機器から試料を採取し、油入電気機器の絶縁油中のＣＯ＋ＣＯ２の生成量（厳密には、絶縁油に浸漬した紙の単位重量当たりから生成されるＣＯ＋ＣＯ２の量であるが、以下、単に「生成量」という。）および絶縁紙の平均重合度を測定している。また、各油入電気機器の使用状態の履歴データから、それぞれΣ{（時間負荷率）２×巻線最高点温度上昇値}を算出している。図１は、実際に所定期間適正に使用されて交換された複数台の油入電気機器についてＣＯ＋ＣＯ２の生成量と平均重合度の関係を示す図である。
【００１７】
次に、ＣＯ＋ＣＯ２の生成量に基づいて、データをグループ分け、グループ毎に負荷積算量と絶縁紙の平均重合度の相関関係データを作成する。
【００１８】
この実施形態では、上述した複数台の油入電気機器を、ＣＯ＋ＣＯ２の生成量に基づいて、グループ分けする。具体的には、複数台の油入電気機器を、ＣＯ＋ＣＯ２の生成量が、２０（ｍｌ/Ｋｇ）未満のもの、２０（ｍｌ/Ｋｇ）以上３０（ｍｌ/Ｋｇ）未満のもの、３０（ｍｌ/Ｋｇ）以上４０（ｍｌ/Ｋｇ）未満のもの、４０（ｍｌ/Ｋｇ）以上７０（ｍｌ/Ｋｇ）未満のもの、７０（ｍｌ/Ｋｇ）以上１１０（ｍｌ/Ｋｇ）未満のもの、１１０（ｍｌ/Ｋｇ）以上の６つのグループに分けている。
【００１９】
そして、グループ毎にΣ{（時間負荷率）２×巻線最高点温度上昇値}と絶縁紙の平均重合度の相関関係データを作成する。図２はＣＯ＋ＣＯ２の生成量が２０（ｍｌ/Ｋｇ）未満のグループについてのものであり、図３はＣＯ＋ＣＯ２の生成量が２０（ｍｌ/Ｋｇ）以上３０（ｍｌ/Ｋｇ）未満のグループについてのものであり、図４はＣＯ＋ＣＯ２の生成量が３０（ｍｌ/Ｋｇ）以上４０（ｍｌ/Ｋｇ）未満のグループについてのものであり、図５はＣＯ＋ＣＯ２の生成量が４０（ｍｌ/Ｋｇ）以上６０（ｍｌ/Ｋｇ）未満のグループについてのものであり、図６はＣＯ＋ＣＯ２の生成量が７０（ｍｌ/Ｋｇ）以上１１０（ｍｌ/Ｋｇ）未満のグループについてのものであり、図７はＣＯ＋ＣＯ２の生成量が１１０（ｍｌ/Ｋｇ）以上のグループについてのものである。
【００２０】
このように劣化生成物量の所定の範囲毎に、Σ{（時間負荷率）２×巻線最高点温度上昇値}と絶縁紙の平均重合度との相関関係データを作成することにより、Σ{（時間負荷率）２×巻線最高点温度上昇値}と絶縁紙の平均重合度との相関関係の誤差率を小さくすることができる。従って、この相関関係データを用いて、油入電気機器の劣化度を推定すれば、油入電気機器の劣化度についてより精度の高い判定が行える。この実施形態では、絶縁紙の平均重合度の推定値と実測値の相関関係および誤差平均は、図８に示す通りである。図９は、ＣＯ＋ＣＯ２の生成量と絶縁紙の平均重合度との相関関係から求まる絶縁紙の平均重合度推定値と実測値の相関関係および誤差平均を示す図である。ここで示す誤差平均は、絶縁紙の平均重合度の推定値と実測値との差を、実測値で除した値の平均値である。従って、誤差平均が小さいほど油入電気機器の劣化度の推定誤差が小さいことが示されている。
【００２１】
次に、劣化度を推定する推定対象となる対象油入電気機器について、劣化度を推定する作業を説明する。斯かる推定作業では、まず、劣化度を推定する対象油入電気機器の絶縁油から測定された劣化生成物量に基づいて、対象油入電気機器の劣化度を推定するのに使用する負荷積算量と平均重合度との相関関係データを選択する。
【００２２】
この実施形態では、対象油入電気機器の絶縁油から測定された劣化生成物量（ＣＯ＋ＣＯ２）に基づいて、対象油入電気機器の劣化度を推定するのに使用するΣ{（時間負荷率）２×巻線最高点温度上昇値}と平均重合度との相関関係データを選択する。
【００２３】
油入電気機器の劣化度の推定作業では、実際に使用されている油入電気機器を対象に用いることができる。この場合、まず、実際に使用されている油入電気機器から、絶縁油の一部を試料として採取し、そこから劣化生成物量を測定する。この実施形態では、劣化生成物量としてＣＯ＋ＣＯ２の生成量を用いて、負荷積算量と絶縁紙の平均重合度との相関関係データを作成しているので、ＣＯ＋ＣＯ２の生成量の測定結果を用いる。そして、ＣＯ＋ＣＯ２の生成量の測定結果に基づいて、使用する負荷積算量と平均重合度との相関関係データを選択する。
【００２４】
この実施形態では、ＣＯ＋ＣＯ２の生成量が、２０（ｍｌ/Ｋｇ）未満のもの、２０（ｍｌ/Ｋｇ）以上３０（ｍｌ/Ｋｇ）未満のもの、３０（ｍｌ/Ｋｇ）以上４０（ｍｌ/Ｋｇ）未満のもの、４０（ｍｌ/Ｋｇ）以上７０（ｍｌ/Ｋｇ）未満のもの、７０（ｍｌ/Ｋｇ）以上１１０（ｍｌ/Ｋｇ）未満のもの、１１０（ｍｌ/Ｋｇ）以上の６つのグループに分けているので、ＣＯ＋ＣＯ２の生成量の測定結果に基づいて、測定結果が含まれるグループを選択するとよい。
【００２５】
次に、対象油入電気機器の使用履歴データから負荷積算量を算出し、選択した負荷積算量と絶縁紙の機械強度指標との相関関係データに基づいて、測定された油入電気機器の負荷積算量から絶縁紙の機械強度指標の推定値を求める。
【００２６】
この実施形態では、負荷積算量としてΣ{（時間負荷率）２×巻線最高点温度上昇値}を用いているので、対象油入電気機器の使用履歴データからΣ{（時間負荷率）２×巻線最高点温度上昇値}を算出する。そして、算出されたΣ{（時間負荷率）２×巻線最高点温度上昇値}と、選択したΣ{（時間負荷率）２×巻線最高点温度上昇値}と絶縁紙の平均重合度との相関関係データに基づいて、対象油入電気機器の絶縁紙の平均重合度を求める。具体的には、この実施形態では、選択した選択したΣ{（時間負荷率）２×巻線最高点温度上昇値}と絶縁紙の平均重合度との相関関係を示す近似曲線から、対象油入電気機器の絶縁紙の平均重合度を求めている。
【００２７】
油入電気機器の劣化度は、油入電気機器の絶縁紙の劣化により決まり、絶縁紙の劣化は絶縁紙の機械強度により決まるので、平均重合度や抗張力などの絶縁紙の機械強度指標により、油入電気機器の劣化度を推定することができる。この実施形態では、上述したように、当該対象油入電気機器の使用履歴データから算出されたΣ{（時間負荷率）２×巻線最高点温度上昇値}と、選択したΣ{（時間負荷率）２×巻線最高点温度上昇値}と絶縁紙の平均重合度との相関関係データの相関曲線に基づいて、当該対象油入電気機器の絶縁紙の平均重合度を求めることができ、これから当該油入電気機器の劣化度を推定することができる。
【００２８】
油入電気機器の絶縁油中の劣化生成物量が同じ程度であれば、油入電気機器が低い負荷で運転されているほど絶縁紙の重合度が大きく（絶縁紙の劣化が小さく）、油入電気機器が高い負荷で運転されているほど絶縁紙の重合度が小さい（絶縁紙の劣化が大きい）。上述した油入電気機器の劣化度推定方法によれば、油入電気機器の劣化度の推定に用いる負荷積算量と絶縁紙の機械強度指標との相関関係データを作成する際に、図１〜図７に示すように、予め、油入電気機器の絶縁油中の劣化生成物量と、油入電気機器に掛けた負荷を経時的に積算した負荷積算量と、絶縁紙の機械強度指標のデータを、劣化生成物量の所定の範囲毎に分け、範囲毎に負荷積算量と絶縁紙の機械強度指標との相関関係データを作成している。このため、劣化生成物量の所定の範囲毎に分け、範囲毎に負荷積算量と絶縁紙の機械強度指標との相関関係データを作成することにより、負荷積算量と絶縁紙の機械強度指標との相関関係の誤差率を小さくすることができる。
【００２９】
そして、対象油入電気機器の劣化度を推定する際も、対象油入電気機器の絶縁油から測定された劣化生成物量に基づいて、使用する負荷積算量と平均重合度との相関関係データを選択し、選択した負荷積算量と絶縁紙の機械強度指標との相関関係データに基づいて、測定された対象油入電気機器の負荷積算量から絶縁紙の機械強度指標の推定値を求め、この絶縁紙の機械強度指標の推定値に基づいて対象油入電気機器の劣化度を推定するようにしたので、対象油入電気機器の劣化度をより精度よく推定することができる。
【００３０】
これにより、油入電気機器を寿命により交換する際に交換時期を判断する場合において、より正確に油入電気機器の劣化度を判断でき、より適切な時期に油入電気機器を交換することができる。
【００３１】
以上、本発明の一実施形態に係る油入電気機器の劣化度推定方法を説明したが、本発明に係る油入電気機器の劣化度推定方法は上記実施形態に限定されるものではない。
【００３２】
例えば、上記実施形態では、負荷積算量としてΣ{（時間負荷率）２×巻線最高点温度上昇値}を採用したが、これに限らず、日単位や、月単位で負荷率のデータがある場合には、斯かる時間を基準に経時的な積算量を算出するとよい。また、負荷積算量は、負荷率を２乗したものを経時的に積算した量〔Σ（負荷率）２〕や、負荷率を１．６乗したものを経時的に積算した量〔Σ（負荷率）１．６〕を用いてもよい。
【００３３】
また、劣化生成物量は、絶縁油中の（ＣＯ＋ＣＯ２）の他、フルフラールやアセトンを用いてもよい。また、絶縁紙の機械強度指標には、絶縁紙の平均重合度の他、抗張力を用いてもよい。
【００３４】
また、油入電気機器の劣化度推定方法は、所定のプログラムに基づいて演算処理する演算部（ＣＰＵ）や、相関関係のデータなどを記憶できる記憶部（メモリ）を備えたコンピュータを用いて具現化できる。
【００３５】
油入電気機器の劣化度推定装置は、例えば、予め、油入電気機器の絶縁油中の劣化生成物量と、油入電気機器に掛けた負荷を経時的に積算した負荷積算量と、絶縁紙の機械強度指標のデータに基づいて、劣化生成物量の所定の範囲毎に作成した、負荷積算量と絶縁紙の機械強度指標との相関関係データを記録した相関関係データ記憶部と、劣化度を推定する対象油入電気機器の絶縁油から測定された劣化生成物量に基づいて、相関関係データ記憶部に記憶された相関関係データから使用する負荷積算量と平均重合度との相関関係データを選択する相関関係データ選択部と、前記選択部において、選択された負荷積算量と絶縁紙の機械強度指標との相関関係データに基づいて、測定された油入電気機器の負荷積算量から絶縁紙の機械強度指標の推定値を求める推定値算出部とを備えた構成とするとよい。
【００３６】
また、この場合、さらに、絶縁紙の機械強度指標の推定値と油入電気機器の劣化度との相関関係を記憶した劣化度相関関係記憶部と、推定値算出部で算出された推定値と、劣化度相関関係記憶部に記憶させた絶縁紙の機械強度指標の推定値と油入電気機器の劣化度との相関関係に基づいて、油入電気機器の劣化度を算出する劣化度算出部を設けてもよい。
【００３７】
また、この油入電気機器の劣化度推定方法は、油入変圧器の他、油入リアクタンスなどの種々の油入電気機器に適用できる。
【図面の簡単な説明】
【００３８】
【図１】ＣＯ＋ＣＯ２と平均重合度との関係を示す図。
【図２】ＣＯ＋ＣＯ２の生成量が１０〜２０（ｍｌ/Ｋｇ）未満のものを対象としたΣ{（時間負荷率）２×巻線最高点温度上昇値}と平均重合度との相関関係を示す図。
【図３】ＣＯ＋ＣＯ２の生成量が２０〜３０（ｍｌ/Ｋｇ）未満のものを対象としたΣ{（時間負荷率）２×巻線最高点温度上昇値}と平均重合度との相関関係を示す図。
【図４】ＣＯ＋ＣＯ２の生成量が３０〜４０（ｍｌ/Ｋｇ）未満のものを対象としたΣ{（時間負荷率）２×巻線最高点温度上昇値}と平均重合度との相関関係を示す図。
【図５】ＣＯ＋ＣＯ２の生成量が４０〜７０（ｍｌ/Ｋｇ）未満のものを対象としたΣ{（時間負荷率）２×巻線最高点温度上昇値}と平均重合度との相関関係を示す図。
【図６】ＣＯ＋ＣＯ２の生成量が７０〜１１０（ｍｌ/Ｋｇ）未満のものを対象としたΣ{（時間負荷率）２×巻線最高点温度上昇値}と平均重合度との相関関係を示す図。
【図７】ＣＯ＋ＣＯ２の生成量が１１０（ｍｌ/Ｋｇ）以上のものを対象としたΣ{（時間負荷率）２×巻線最高点温度上昇値}と平均重合度との相関関係を示す図。
【図８】Σ{（時間負荷率）２×巻線最高点温度上昇値}と絶縁紙の平均重合度との相関関係から求まる絶縁紙の平均重合度推定値と実測値の相関関係および誤差平均を示す図。
【図９】ＣＯ＋ＣＯ２の生成量と絶縁紙の平均重合度との相関関係から求まる絶縁紙の平均重合度推定値と実測値の相関関係および誤差平均を示す図。
【図１】
2008124146.tif 000003
【図２】
2008124146.tif 000004
【図３】
2008124146.tif 000005
【図４】
2008124146.tif 000006
【図５】
2008124146.tif 000007
【図６】
2008124146.tif 000008
【図７】
2008124146.tif 000009
【図８】
2008124146.tif 000010
【図９】
2008124146.tif 000011